(57)【要約】    【課題】      静電気や衝撃に比較的弱いＩＣチップにＲＦＩＤデータの書き込みののち、ＲＦＩＤデータが正常か否かの検証を行うとともに、無駄なスペースなく、プリンター全体の小型化および簡素化が可能なＲＦＩＤ印字用紙用プリンターを提供すること。    【解決手段】  ＲＦＩＤ印字用紙（ＲＦＩＤラベル連続体１）を曲線状の移送路１３上に案内可能な弧状案内部１６をプリンター本体１１に設けることに着目したもので、ＲＦＩＤ印字用紙１にデータ書込みあるいはデータ読取りを行うＲＦＩＤデータ書込み読取り部１５と、ＲＦＩＤ印字用紙１に印字を行う印字部１４と、印字部１４およびＲＦＩＤデータ書込み読取り部１５を取り付けるプリンター本体１１と、を有し、印字部１４の下流側にＲＦＩＤ印字用紙１を曲線状の移送路１３に案内可能な弧状案内部１６をプリンター本体１１に設けたことを特徴とする。【選択図】        図１                            
2005161574.tif 000002
【特許請求の範囲】
【請求項１】
ＲＦＩＤ印字用紙にデータ書込みあるいはデータ読取りを行うＲＦＩＤデータ書込み読取り部と、
前記ＲＦＩＤ印字用紙に印字を行う印字部と、
この印字部および前記ＲＦＩＤデータ書込み読取り部を取り付けるプリンター本体と、を有するＲＦＩＤ印字用紙用プリンターであって、
前記印字部の下流側に前記ＲＦＩＤ印字用紙を曲線状の移送路に案内可能な弧状案内部を前記プリンター本体に設けたことを特徴とするＲＦＩＤ印字用紙用プリンター。
【請求項２】
前記ＲＦＩＤデータ書込み読取り部のアンテナを、上流側アンテナと下流側アンテナとに分離して、前記印字部の上流側および下流側にそれぞれ配置することを特徴とする請求項１記載のＲＦＩＤ印字用紙用プリンター。
【請求項３】
前記弧状案内部は、複数個のガイドローラーを弧状に配置したものからこれを構成したことを特徴とする請求項１記載のＲＦＩＤ印字用紙用プリンター。
【請求項４】
前記弧状案内部は、弧状ガイドボディからこれを構成したことを特徴とする請求項１記載のＲＦＩＤ印字用紙用プリンター。
【請求項５】
前記ＲＦＩＤデータ書込み読取り部のアンテナをデータ書込み用アンテナとデータ読取り用アンテナとに分離したことを特徴とする請求項１記載のＲＦＩＤ印字用紙用プリンター。
【請求項６】
前記ＲＦＩＤデータ書込み読取り部のアンテナを共通化したことを特徴とする請求項１記載のＲＦＩＤ印字用紙用プリンター。
【請求項７】
前記ＲＦＩＤデータ書込み読取り部のアンテナは、前記プリンター本体において前記弧状案内部の内側にこれを配置したことを特徴とする請求項１記載のＲＦＩＤ印字用紙用プリンター。
【請求項８】
前記データ書込みあるいは前記データ読取りに不具合のある前記ＲＦＩＤ印字用紙を取り除く用紙取除き部を前記弧状案内部の下流側に設けたことを特徴とする請求項１記載のＲＦＩＤ印字用紙用プリンター。
【発明の詳細な説明】
【技術分野】
【０００１】
本発明はＲＦＩＤ印字用紙用プリンターにかかるもので、とくにＲＦＩＤ印字用紙
（非接触でデータ読取り書込み可能なＩＣチップを搭載したラベルやタグなどの印字用紙）に印字するためのＲＦＩＤ印字用紙用プリンターに関するものである。
【背景技術】
【０００２】
従来から、帯状の台紙に複数枚のラベルを仮着して所定移送路を移送し、印字部においてラベルに印字を行う各種のラベルプリンターが開発されている。
また、非接触でデータ読取り書込み可能なＩＣチップを搭載したラベル、すなわち、ＲＦＩＤ（Ｒａｄｉｏ  Ｆｒｅｑｕｅｎｃｙ  Ｉｄｅｎｔｉｆｉｃａｔｉｏｎ）ラベルと呼ばれるラベルでは、そのＩＣチップ内に電子的にデータを書き込み、および読み取ることができる。
図３は、従来のＲＦＩＤラベル連続体１（ＲＦＩＤ印字用紙連続体）を示す平面図であって、ＲＦＩＤラベル連続体１は、帯状の台紙２と、この台紙２に仮着した複数枚のＲＦＩＤラベル３（ＲＦＩＤ印字用紙）と、を有する。
ＲＦＩＤラベル３は、ラベル本体４と、このラベル本体４に組み込んだＩＣチップ５と、アンテナ６と、を有する。なお台紙２の裏面には、位置検出用マーク７をあらかじめ印刷してある。
【０００３】
しかしながら、ラベル本体４内のＩＣチップ５は、静電気や衝撃に比較的弱く、そのＲＦＩＤデータの書き込みののち、当該ＲＦＩＤデータが正常か否かの検証を行う必要がある。
一般的な従来のラベル上に各種の情報を単純に印字するだけであれば、その印字状態が異状か否かの判断は比較的容易であるが、電子的にデータを入力してあるＲＦＩＤラベル３などにおいては、作業者がこれを視認することは事実上不可能である。
プリンターにおいてＲＦＩＤデータを書き込んだＲＦＩＤラベル連続体１のＩＣチップ５が破損しているか否かは、ＲＦＩＤスキャナー（図示せず）などで走査検証しないと判別することができないという問題がある。
【０００４】
そこで、特許文献２のように、印字部の上流側および下流側にＲＦＩＤデータ読取り書込み用のアンテナを設けて、ＲＦＩＤラベルへのデータの書込みおよびその読取りの異状を検知可能としたものがある。
しかしながら、印字部の上流側および下流側に設けるＲＦＩＤデータ読取り書込み用のアンテナが印字部とともに直線的に配置されているため、プリンター全体が大型化するとともに、下流側のアンテナがプリンターの外部に突出するため、外部の電波に影響されて誤作動の可能性があるという問題がある。
【０００５】
なお、ＲＦＩＤ印字用紙としては、上述のラベル（ＲＦＩＤラベル３）の形態以外にも、下げ札などのタグその他の形態の印字用紙にも上述と同様の問題がある。
【０００６】
【特許文献１】特開２００２−９２６５９号公報
【特許文献２】特開２００３−１３２３３０号公報
【発明の開示】
【発明が解決しようとする課題】
【０００７】
本発明は以上のような諸問題にかんがみなされたもので、静電気や衝撃に比較的弱いＩＣチップにＲＦＩＤデータの書き込みののち、当該ＲＦＩＤデータが正常か否かの検証を行うことができるＲＦＩＤ印字用紙用プリンターを提供することを課題とする。
【０００８】
また本発明は、プリンター全体の小型化が可能なＲＦＩＤ印字用紙用プリンターを提供することを課題とする。
【０００９】
また本発明は、無駄なスペースをなくしてプリンター全体の簡素化が可能なＲＦＩＤ印字用紙用プリンターを提供することを課題とする。
【００１０】
また本発明は、ＲＦＩＤデータが正常か否かの検証を行う際に誤作動が少ないＲＦＩＤ印字用紙用プリンターを提供することを課題とする。
【課題を解決するための手段】
【００１１】
すなわち本発明は、ＲＦＩＤ印字用紙を曲線状の移送路上に案内可能な弧状案内部をプリンター本体に設けることに着目したもので、ＲＦＩＤ印字用紙にデータ書込みあるいはデータ読取りを行うＲＦＩＤデータ書込み読取り部と、上記ＲＦＩＤ印字用紙に印字を行う印字部と、この印字部および上記ＲＦＩＤデータ書込み読取り部を取り付けるプリンター本体と、を有するＲＦＩＤ印字用紙用プリンターであって、上記印字部の下流側に上記ＲＦＩＤ印字用紙を曲線状の移送路に案内可能な弧状案内部を上記プリンター本体に設けたことを特徴とするＲＦＩＤ印字用紙用プリンターである。
【００１２】
上記ＲＦＩＤデータ書込み読取り部のアンテナを、上流側アンテナと下流側アンテナとに分離して、上記印字部の上流側および下流側にそれぞれ配置することができる。
【００１３】
上記弧状案内部は、複数個のガイドローラーを弧状に配置したものからこれを構成することができる。
【００１４】
上記弧状案内部は、弧状ガイドボディからこれを構成することができる。
【００１５】
上記ＲＦＩＤデータ書込み読取り部のアンテナをデータ書込み用アンテナとデータ読取り用アンテナとに分離することができる。
【００１６】
上記ＲＦＩＤデータ書込み読取り部のアンテナを共通化することができる。
【００１７】
上記ＲＦＩＤデータ書込み読取り部のアンテナは、上記プリンター本体において上記弧状案内部の内側にこれを配置することができる。
【００１８】
上記データ書込みあるいは上記データ読取りに不具合のある上記ＲＦＩＤ印字用紙を取り除く用紙取除き部を上記弧状案内部の下流側に設けることができる。
【００１９】
上記ＲＦＩＤデータ書込み読取り部のアンテナは、これを上流側アンテナと下流側アンテナとに分離することができるが、それぞれの配置位置については、これらをともに上記印字部の上流側あるいは下流側のいずれか一方に配置することもできる。
【発明の効果】
【００２０】
本発明によるＲＦＩＤ印字用紙用プリンターにおいては、印字部の下流側にＲＦＩＤ印字用紙を曲線的に案内する弧状案内部をプリンター本体に設けたので、プリンター全体を大型化することなく、ＲＦＩＤラベルその他の印字用紙のＩＣチップの検証を可能とするとともに、この検証でエラーとなった場合には、このＩＣチップを有するＲＦＩＤラベルなどを取り除きやすい部位で停止させ剥離ないし除去可能である。
また、アンテナがプリンター本体の外部に突出することがないので、誤作動の可能性も低い。
【発明を実施するための最良の形態】
【００２１】
本発明は、プリンター本体に弧状案内部を設けてＲＦＩＤ印字用紙を弧状に案内可能としたので、この弧状案内部の内方部にＲＦＩＤデータ書込み読取り部ないしそのアンテナを設けることができるとともに、外部にこれらの部材が突出することなく、小型かつ信頼性のあるＲＦＩＤ印字用紙用プリンターを実現した。
【実施例】
【００２２】
つぎに本発明の第１の実施例によるＲＦＩＤ印字用紙用プリンター１０を図１にもとづき説明する。ただし、図３と同様の部分には同一符号を付し、その詳述はこれを省略する。
図１は、ＲＦＩＤ印字用紙用プリンター１０の概略平面図であり、ＲＦＩＤ印字用紙用プリンター１０は、プリンター本体１１と、ＲＦＩＤラベル連続体１の用紙供給部１２と、ＲＦＩＤラベル連続体１の移送路１３と、印字部１４と、ＲＦＩＤデータ書込み読取り部１５と、弧状案内部１６と、用紙取除き部１７と、ＲＦＩＤラベル連続体１の用紙巻取り部１８と、制御部１９と、を有する。
【００２３】
プリンター本体１１は、上記各部分を設けるもので、これを縦置きあるいは横置きして、ＲＦＩＤラベル連続体１を鉛直面内あるいは水平面内で移送することができる。
【００２４】
用紙供給部１２は、帯状のＲＦＩＤラベル連続体１をロール状にして保持し、移送路１３に帯状に繰り出し可能とする。
【００２５】
移送路１３は、これに沿って印字部１４、ＲＦＩＤデータ書込み読取り部１５、弧状案内部１６および用紙取除き部１７を設けてある。
【００２６】
印字部１４は、サーマルヘッド２０およびプラテンローラー２１、さらに熱転写リボン２２のリボン供給部２３およびリボン巻取り部２４を有し、サーマルヘッド２０およびプラテンローラー２１の間にＲＦＩＤラベル連続体１を移送して、サーマルヘッド２０および熱転写リボン２２によりそのＲＦＩＤラベル３に所定内容のデータを印字する。
この印字部１４については、インキジェット方式その他任意の印字方式を採用可能である。
【００２７】
ＲＦＩＤデータ書込み読取り部１５は、ＲＦＩＤラベル連続体１（ＲＦＩＤラベル３のＩＣチップ５）にデータ書込みあるいはデータ読取りを行うもので、データ制御部２５と、上流側アンテナ２６（データ書込み用アンテナ）および下流側アンテナ２７（データ読取り用アンテナ）と、を有する。
上流側アンテナ２６および下流側アンテナ２７は、弧状案内部１６の内側すなわち、ＲＦＩＤラベル連続体１の移送路１３における巻取りルートの内側にこれを配置している。
上流側アンテナ２６は、印字部１４の上流側とくに移送路１３の図中下側にこれを位置させ、下流側アンテナ２７は、印字部１４の下流側とくに弧状案内部１６の内側（移送路１３の図中上側）にこれを位置させてある。
なお、上流側アンテナ２６および下流側アンテナ２７は、これをともに印字部１４の上流側あるいは下流側のいずれか一方に配置することもできる。
【００２８】
弧状案内部１６は、印字部１４の下流側のプリンター本体１１にこれを設けてあって、複数個のガイドローラー２８を弧状に配置したものからこれを構成することにより、ガイドローラー２８の外側において、ＲＦＩＤラベル連続体１を外方に向かって凸の曲線状に、すなわちＲＦＩＤラベル連続体１の台紙２からＲＦＩＤラベル３が剥離しない程度の弧状を描いて折り曲げるように案内するものである。
【００２９】
用紙取除き部１７は、弧状案内部１６と用紙巻取り部１８との間にＲＦＩＤラベル連続体１の台紙２側に設けた支持平板部２９を有する。
この支持平板部２９の部位においてこれをＲＦＩＤラベル連続体１の裏面支持体として、データ書込みあるいはデータ読取りに不具合のあるＲＦＩＤラベル連続体１のＲＦＩＤラベル３を台紙２から剥離して取り除く。
【００３０】
用紙巻取り部１８は、印字、ＲＦＩＤデータの書込みおよび読取り、さらにはその検証を終了したＲＦＩＤラベル連続体１をロール状に巻き取るものであって、この用紙巻取り部１８の位置を用紙供給部１２の近傍に配置することにより、既述のように、ＲＦＩＤラベル連続体１の移送路１３を弧状案内部１６の部分で弧状を描きながら折り曲げてＲＦＩＤ印字用紙用プリンター１０（プリンター本体１１）全体を小型化可能である。
【００３１】
制御部１９は、上記各部を制御するとともに、必要であれば外部のパソコンその他の機器（図示せず）との間でデータ受発信を行うことができる。
【００３２】
こうした構成のＲＦＩＤ印字用紙用プリンター１０において、印字部１４によりＲＦＩＤラベル３に印字し、データ制御部２５は、その上流側アンテナ２６からＲＦＩＤラベル３のＩＣチップ５にＲＦＩＤデータを書き込み、下流側アンテナ２７においてこの書き込まれたＲＦＩＤデータを読み取ってＲＦＩＤデータの正誤を検証することができる。
印字部１４から用紙取除き部１７には、弧状案内部１６によりＲＦＩＤラベル連続体１を弧状にガイドすることができるので、台紙２からＲＦＩＤラベル３が剥離することもなく、ＲＦＩＤラベル連続体１の移送路１３を折り曲げてプリンター本体１１の表面領域におけるの所定面積部分を有効に活用することができる。
【００３３】
仮に、ＲＦＩＤラベル３のＩＣチップ５にデータエラーがあることが判明した場合には、用紙取除き部１７の部分でＲＦＩＤラベル連続体１の移送を停止し、不具合のあるＲＦＩＤラベル３を台紙２から剥離して除去した上で、用紙巻取り部１８にロール状に巻き取る。
【００３４】
かくして、ＲＦＩＤラベル連続体１の使用前にそのＲＦＩＤラベル３（ＩＣチップ５）が破損ないし損傷しているか否かを検証することができ、運用前のトラブルを未然に防止可能である。
しかも、移送路１３における巻取りルート、具体的には弧状案内部１６の内部に上流側アンテナ２６および下流側アンテナ２７が位置しているので、これらがＲＦＩＤラベル連続体１の移送に邪魔にならず無駄なスペースを必要としない。
【００３５】
つぎに図２は、本発明の第２の実施例によるＲＦＩＤ印字用紙用プリンター３０の概略平面図であって、ＲＦＩＤ印字用紙用プリンター３０は、既述のＲＦＩＤ印字用紙用プリンター１０（図１）とは、弧状案内部１６、上流側アンテナ２６および下流側アンテナ２７の構成が異なっており、他の構成は事実上同一である。
すなわち、弧状案内部１６としては、断面弧状、半月ないし三日月状の弧状ガイドボディ３１からこれを構成している。
【００３６】
さらに、ＲＦＩＤデータ書込み読取り部１５の上流側アンテナ２６および下流側アンテナ２７を共通化した単一の共用アンテナ３２としている。
この共用アンテナ３２は、ＲＦＩＤラベル連続体１の表裏からＩＣチップ５との間でＲＦＩＤデータの読み書きが可能である。
【００３７】
こうした構成のＲＦＩＤ印字用紙用プリンター３０において、既述のＲＦＩＤ印字用紙用プリンター１０（図１）と同様に、ＲＦＩＤラベル３（ＩＣチップ５）の破損ないし損傷を検証することができ、共用アンテナ３２が弧状案内部１６の内部に位置しているので、ＲＦＩＤラベル連続体１の移送に邪魔にならず無駄なスペースを必要としない。
さらに、単一の部品（弧状ガイドボディ３１）により弧状案内部１６を構成することができて、コストダウンが可能であるとともに、ＲＦＩＤラベル連続体１を確実に弧状に案内することができる。
【００３８】
また、データ制御部２５の共用アンテナ３２を共通化しているので、構成を簡略化し同じくコストダウンが可能であるとともに、弧状案内部１６における移送路１３の中間に共用アンテナ３２を配置してＲＦＩＤデータの書込みおよび検証（読取り）に共用することができる。
【図面の簡単な説明】
【００３９】
【図１】本発明の第１の実施例によるＲＦＩＤ印字用紙用プリンター１０の概略平面図である。
【図２】本発明の第２の実施例によるＲＦＩＤ印字用紙用プリンター３０の概略平面図である。
【図３】従来のＲＦＩＤラベル連続体１（ＲＦＩＤ印字用紙連続体）を示す平面図である。
【符号の説明】
【００４０】
１  ＲＦＩＤラベル連続体（ＲＦＩＤ印字用紙連続体、図３）
２  台紙
３  ＲＦＩＤラベル（ＲＦＩＤ印字用紙）
４  ラベル本体
５  ＩＣチップ
６  アンテナ
７  位置検出用マーク
１０  ＲＦＩＤ印字用紙用プリンター（第１の実施例、図１）
１１  プリンター本体
１２  用紙供給部
１３  移送路
１４  印字部
１５  ＲＦＩＤデータ書込み読取り部
１６  弧状案内部
１７  用紙取除き部
１８  用紙巻取り部
１９  制御部
２０  サーマルヘッド
２１  プラテンローラー
２２  熱転写リボン
２３  リボン供給部
２４  リボン巻取り部
２５  データ制御部
２６  上流側アンテナ（データ書込み用アンテナ）
２７  下流側アンテナ（データ読取り用アンテナ）
２８  複数個のガイドローラー（弧状案内部）
２９  支持平板部
３０  ＲＦＩＤ印字用紙用プリンター（第２の実施例、図２）
３１  弧状ガイドボディ（弧状案内部）
３２  共用アンテナ
【図１】
2005161574.tif 000003
【図２】
2005161574.tif 000004
【図３】
2005161574.tif 000005